(57)【要約】【課題】一画面に複数の放送番組動画をユーザの嗜好に応じてサムネイル表示することができるテレビジョン受像機及びテレビジョン放送受信システムを提供する。【解決手段】テレビジョン放送の放送信号を受信する受信手段と、該受信手段が受信する放送信号のチャンネルを選択する選択手段と、該選択手段が選択したチャンネルの映像を表示する表示部２４と、放送される番組の番組ジャンル及びチャンネルの番組情報を含む電子番組表を取得する取得手段と、番組ジャンル毎の嗜好度を受け付ける受付手段とを備え、前記選択手段が順次選択した複数のチャンネルの映像を表示部２４に一覧表示するテレビジョン受像機１において、前記選択手段は、前記取得手段が取得した電子番組表及び前記受付手段が受け付けた番組ジャンル毎の嗜好度に基づいて、チャンネルを選択するようにしてある。【選択図】図１
2012023549.tif 000002
【特許請求の範囲】
【請求項１】
テレビジョン放送の放送信号を受信する受信手段と、
該受信手段が受信する放送信号のチャンネルを選択する選択手段と、
該選択手段が選択したチャンネルの映像を表示する表示部と、
放送される番組の番組ジャンル及びチャンネルの番組情報を含む電子番組表を取得する取得手段と、
番組ジャンル毎の嗜好度を受け付ける受付手段と
を備え、
前記選択手段が順次選択した複数のチャンネルの映像を前記表示部に一覧表示するテレビジョン受像機において、
前記選択手段は、
前記取得手段が取得した電子番組表及び前記受付手段が受け付けた番組ジャンル毎の嗜好度に基づいて、チャンネルを選択するようにしてある
ことを特徴とするテレビジョン受像機。
【請求項２】
前記選択手段が選択したチャンネルで放送される番組の番組ジャンルを抽出する番組ジャンル抽出手段と、
前記選択手段が選択したチャンネルで放送され、符号化された番組映像データを逐次記録する番組映像データ記録手段と、
前記番組ジャンル抽出手段が抽出した番組ジャンル及び前記受付手段が受け付けた番組ジャンル毎の嗜好度に基づいて、前記番組映像データ記録手段が記録した複数の番組映像データから一の番組映像データを選択する番組映像データ選択手段と、
該番組映像データ選択手段が選択した一の番組映像データを復号する復号手段と
を備える
ことを特徴とする請求項１に記載のテレビジョン受像機。
【請求項３】
前記復号手段は、
前記番組ジャンル抽出手段が抽出した番組ジャンル及び前記受付手段が受け付けた番組ジャンル毎の嗜好度に基づいて、前記一の番組映像データから復号するデータを部分的に間引いて復号するようにしてある
ことを特徴とする請求項２に記載のテレビジョン受像機。
【請求項４】
前記選択手段が選択したチャンネルで放送される番組の番組ジャンル毎に、該番組の視聴履歴を記録する視聴履歴記録手段
を備え、
前記選択手段は、
前記取得手段が取得した電子番組表及び前記視聴履歴記録手段が記録した番組の視聴履歴に基づいて、チャンネルを選択するようにしてある
ことを特徴とする請求項１から請求項３までのいずれか一項に記載のテレビジョン受像機。
【請求項５】
前記選択手段が選択したチャンネルで放送される番組の番組ジャンル毎に、該番組の視聴履歴を記録する視聴履歴記録手段
を備え、
前記番組映像データ選択手段は、
前記番組ジャンル抽出手段が抽出した番組ジャンル及び前記視聴履歴記録手段が記録した番組の視聴履歴に基づいて、前記一の番組映像データを選択するようにしてある
ことを特徴とする請求項２に記載のテレビジョン受像機。
【請求項６】
前記選択手段が選択したチャンネルで放送される番組の番組ジャンル毎に、該番組の視聴履歴を記録する視聴履歴記録手段
を備え、
前記復号手段は、
前記番組ジャンル抽出手段が抽出した番組ジャンル及び前記視聴履歴記録手段が記録した番組の視聴履歴に基づいて、前記一の番組映像データから復号するデータを部分的に間引いて復号するようにしてある
ことを特徴とする請求項２又は請求項３に記載のテレビジョン受像機。
【請求項７】
テレビジョン放送の放送信号を受信する受信手段、
該受信手段が受信する放送信号のチャンネルを選択する選択手段、
放送される番組の番組ジャンル及びチャンネルの番組情報を含む電子番組表を取得する取得手段、
番組ジャンル毎の嗜好度を受け付ける受付手段、及び
前記選択手段が順次選択した複数のチャンネルの映像を出力する出力手段
を備える映像処理装置と、
前記出力手段が出力した複数のチャンネルの映像を一覧表示する表示装置と
を含む
テレビジョン放送受信システムにおいて、
前記選択手段は、
前記取得手段が取得した電子番組表及び前記受付手段が受け付けた番組ジャンル毎の嗜好度に基づいて、チャンネルを選択するようにしてある
ことを特徴とするテレビジョン放送受信システム。
【発明の詳細な説明】
【技術分野】
【０００１】
本発明は、複数のテレビジョン放送番組を一覧表示するテレビジョン受像機及びテレビジョン放送受信システムに関する。
【背景技術】
【０００２】
複数のテレビジョン放送番組の中からユーザが所望する番組を選択しやすくするために、一画面に複数の番組動画をサムネイル表示する技術がある。例えば、特許文献１には、複数の放送番組データを同時にデコードすることができるＡＶデコーダの存在を前提にして、複数の番組動画を同時に視聴することができるデジタル放送受信機が開示されている。
【先行技術文献】
【特許文献】
【０００３】
【特許文献１】特開２００１−１１１９０６号公報
【発明の概要】
【発明が解決しようとする課題】
【０００４】
しかしながら、１つのＡＶデコーダは１番組の映像データを復号することが一般的であるため、ＡＶデコーダを１つ備えた表示装置の画面に複数の放送番組動画をサムネイル表示することは困難である。そのため、ＡＶデコーダの数より多い数の放送番組のデータを同時にデコードしているように見せるためには、何かしらの方法が必要である。
【０００５】
本発明は、斯かる事情に鑑みてなされたものであって、その目的とするところは、一画面に複数の放送番組動画をユーザの嗜好に応じてサムネイル表示することができるテレビジョン受像機及びテレビジョン放送受信システムを提供することにある。
【課題を解決するための手段】
【０００６】
本願に係るテレビジョン受像機は、テレビジョン放送の放送信号を受信する受信手段と、該受信手段が受信する放送信号のチャンネルを選択する選択手段と、該選択手段が選択したチャンネルの映像を表示する表示部と、放送される番組の番組ジャンル及びチャンネルの番組情報を含む電子番組表を取得する取得手段と、番組ジャンル毎の嗜好度を受け付ける受付手段とを備え、前記選択手段が順次選択した複数のチャンネルの映像を前記表示部に一覧表示するテレビジョン受像機において、前記選択手段は、前記取得手段が取得した電子番組表及び前記受付手段が受け付けた番組ジャンル毎の嗜好度に基づいて、チャンネルを選択するようにしてあることを特徴とする。
【０００７】
本願に係るテレビジョン受像機は、前記選択手段が選択したチャンネルで放送される番組の番組ジャンルを抽出する番組ジャンル抽出手段と、前記選択手段が選択したチャンネルで放送され、符号化された番組映像データを逐次記録する番組映像データ記録手段と、前記番組ジャンル抽出手段が抽出した番組ジャンル及び前記受付手段が受け付けた番組ジャンル毎の嗜好度に基づいて、前記番組映像データ記録手段が記録した複数の番組映像データから一の番組映像データを選択する番組映像データ選択手段と、該番組映像データ選択手段が選択した一の番組映像データを復号する復号手段とを備えることを特徴とする。
【０００８】
本願に係るテレビジョン受像機は、前記復号手段は、前記番組ジャンル抽出手段が抽出した番組ジャンル及び前記受付手段が受け付けた番組ジャンル毎の嗜好度に基づいて、前記一の番組映像データから復号するデータを部分的に間引いて復号するようにしてあることを特徴とする。
【０００９】
本願に係るテレビジョン受像機は、前記選択手段が選択したチャンネルで放送される番組の番組ジャンル毎に、該番組の視聴履歴を記録する視聴履歴記録手段を備え、前記選択手段は、前記取得手段が取得した電子番組表及び前記視聴履歴記録手段が記録した番組の視聴履歴に基づいて、チャンネルを選択するようにしてあることを特徴とする。
【００１０】
本願に係るテレビジョン受像機は、前記選択手段が選択したチャンネルで放送される番組の番組ジャンル毎に、該番組の視聴履歴を記録する視聴履歴記録手段を備え、前記番組映像データ選択手段は、前記番組ジャンル抽出手段が抽出した番組ジャンル及び前記視聴履歴記録手段が記録した番組の視聴履歴に基づいて、前記一の番組映像データを選択するようにしてあることを特徴とする。
【００１１】
本願に係るテレビジョン受像機は、前記選択手段が選択したチャンネルで放送される番組の番組ジャンル毎に、該番組の視聴履歴を記録する視聴履歴記録手段を備え、前記復号手段は、前記番組ジャンル抽出手段が抽出した番組ジャンル及び前記視聴履歴記録手段が記録した番組の視聴履歴に基づいて、前記一の番組映像データから復号するデータを部分的に間引いて復号するようにしてあることを特徴とする。
【００１２】
本願に係るテレビジョン放送受信システムは、テレビジョン放送の放送信号を受信する受信手段、該受信手段が受信する放送信号のチャンネルを選択する選択手段、放送される番組の番組ジャンル及びチャンネルの番組情報を含む電子番組表を取得する取得手段、番組ジャンル毎の嗜好度を受け付ける受付手段、及び前記選択手段が順次選択した複数のチャンネルの映像を出力する出力手段を備える映像処理装置と、前記出力手段が出力した複数のチャンネルの映像を一覧表示する表示装置とを含むテレビジョン放送受信システムにおいて、前記選択手段は、前記取得手段が取得した電子番組表及び前記受付手段が受け付けた番組ジャンル毎の嗜好度に基づいて、チャンネルを選択するようにしてあることを特徴とする。
【００１３】
本願に係るテレビジョン受像機では、放送される番組の番組ジャンル及びチャンネルの番組情報を含む電子番組表と、番組ジャンル毎の嗜好度とに基づいて、テレビジョン放送の放送信号のチャンネルを選択する。順次選択した複数のチャンネルの映像は、表示部に一覧表示される。
【００１４】
本願に係るテレビジョン受像機では、選択したチャンネルで放送され、符号化された番組映像データを逐次記録する。抽出された番組ジャンルと、番組ジャンル毎の嗜好度とに基づいて、逐次記録した複数の番組映像データから一の番組映像データを選択し、復号する。
【００１５】
本願に係るテレビジョン受像機では、抽出された番組ジャンルと、番組ジャンル毎の嗜好度とに基づいて、選択した一の番組映像データから復号するデータを部分的に間引いて復号する。
【００１６】
本願に係るテレビジョン受像機では、選択したチャンネルで放送される番組の番組ジャンル毎に、番組の視聴履歴を記録する視聴履歴記録手段を備えている。放送される番組の番組ジャンル及びチャンネルの番組情報を含む電子番組表と、視聴履歴記録手段が記録した番組の視聴履歴とに基づいて、テレビジョン放送の放送信号のチャンネルを選択する。
【００１７】
本願に係るテレビジョン受像機では、選択したチャンネルで放送される番組の番組ジャンル毎に、番組の視聴履歴を記録する視聴履歴記録手段を備えている。抽出された番組ジャンルと、視聴履歴記録手段が記録した番組の視聴履歴とに基づいて、逐次記録した複数の番組映像データから一の番組映像データを選択し、復号する。
【００１８】
本願に係るテレビジョン受像機では、選択したチャンネルで放送される番組の番組ジャンル毎に、番組の視聴履歴を記録する視聴履歴記録手段を備えている。抽出された番組ジャンルと、視聴履歴記録手段が記録した番組の視聴履歴とに基づいて、選択した一の番組映像データから復号するデータを部分的に間引いて復号する。
【００１９】
本願に係るテレビジョン放送受信システムでは、映像処理装置と表示装置とを含む。映像処理装置は、放送される番組の番組ジャンル及びチャンネルの番組情報を含む電子番組表と、番組ジャンル毎の嗜好度とに基づいて、テレビジョン放送の放送信号のチャンネルを選択する。映像処理装置は、順次選択した複数のチャンネルの映像を表示装置に出力する。表示装置は、映像処理装置が出力した複数のチャンネルの映像を表示する。
【発明の効果】
【００２０】
本願に係るテレビジョン受像機及びテレビジョン放送受信システムによれば、一画面に複数の放送番組動画をユーザの嗜好に応じてサムネイル表示することができる。
【図面の簡単な説明】
【００２１】
【図１】テレビジョン受像機のブロック図である。
【図２】お好みジャンルテーブルの一例を概念的に示す説明図である。
【図３】お好みチャンネルテーブルの一例を概念的に示す説明図である。
【図４】電子番組表の一例を概念的に示す説明図である。
【図５】制御部が実行する処理の手順の一例を示すフローチャートである。
【図６】制御部が実行する処理の手順の一例を示すフローチャートである。
【発明を実施するための形態】
【００２２】
以下、本発明の一実施例におけるテレビジョン受像機を、実施の形態を示す図面に基づいて説明する。なお、本発明は、以下の実施の形態に限定されるものではない。
【００２３】
実施の形態１
実施の形態１は、ユーザの嗜好及び番組情報に基づいて選択された複数の放送番組動画をサムネイル表示するテレビジョン受像機に関する。
図１は、テレビジョン受像機１のブロック図である。
テレビジョン受像機１は、制御部（選択手段、番組映像データ選択手段）１１、メモリ１２、タイマ１３及び受光部（受付手段）１４を含む。これらの構成部はバスＢにより接続されている。
制御部１１は、ＣＰＵ（Central Processing Unit）、ＭＰＵ（Micro Processor Unit）等であり、テレビジョン受像機１の各構成部を制御する。制御部１１は、メモリ１２からプログラムを読み出し、当該プログラムを実行する。
【００２４】
メモリ１２は、例えばフラッシュメモリ、メモリカード等の不揮発性メモリであり、制御部１１が実行するプログラムを記録している。メモリ１２は、制御部１１による処理の過程で必要な作業変数、データ等を一時的に記録する。
メモリ１２には、お好みジャンルテーブル、お好みチャンネルテーブル及び電子番組表が記録されている。お好みジャンルテーブルは、番組ジャンル毎にユーザの嗜好度を記録するテーブルである。お好みチャンネルテーブルは、放送チャンネル毎にユーザの嗜好度を記録するテーブルである。電子番組表は、放送予定の番組情報を記録する表である。
【００２５】
図２は、お好みジャンルテーブル１２ａの一例を概念的に示す説明図である。
お好みジャンルテーブル１２ａは、「ジャンル」列、「嗜好度」列及び「視聴時間」列を含む。「ジャンル」列は、番組ジャンルを格納する。「嗜好度」列は、番組ジャンル毎のユーザの嗜好度を格納する。ユーザの嗜好度は、例えば５段階評価の数値で表される。「視聴時間」列は、番組ジャンル毎の累積視聴時間を格納する。累積視聴時間は、例えば分単位で記録される。
【００２６】
図３は、お好みチャンネルテーブル１２ｂの一例を概念的に示す説明図である。
お好みチャンネルテーブル１２ｂは、「チャンネル」列、「嗜好度」列及び「視聴時間」列を含む。「チャンネル」列は、チャンネル名を格納する。「嗜好度」列は、チャンネル毎のユーザの嗜好度を格納する。ユーザの嗜好度は、例えば５段階評価の数値で表される。「視聴時間」列は、チャンネル毎の累積視聴時間を格納する。累積視聴時間は、例えば分単位で記録される。
【００２７】
図４は、電子番組表１２ｃの一例を概念的に示す説明図である。例えば、電子番組表１２ｃの横軸はチャンネルであり、縦軸は時間である。チャンネル軸と時間軸とにより画定されるマトリクスの各升目内には、番組名、番組ジャンル等の番組情報が格納されている。
【００２８】
タイマ１３は、基準クロック信号に基づいて動作し、所定の信号及び現在時刻を制御部１１に送信する。
受光部１４は、外部のリモートコントローラ１ａから操作信号を受信し、受信した操作信号を制御部１１に送信する。
【００２９】
テレビジョン受像機１は、チューナ（受信手段、選択手段）１５、復調器１６、デマルチプレクサ１７、ＡＶデコーダ（復号手段）１８、番組情報デコーダ（取得手段、番組ジャンル抽出手段）１９、番組情報付加部２０、ＴＳ（Transport Stream）記録部（番組映像データ記録手段）２１、映像処理部２２、音声処理部２３、表示部２４及びスピーカ２５を含む。
チューナ１５、デマルチプレクサ１７、ＡＶデコーダ１８、番組情報デコーダ１９、ＴＳ記録部２１及び映像処理部２２は、制御部１１とバスＢにより接続されている。
【００３０】
チューナ１５は、外部のアンテナＡが受信したデジタルテレビジョン放送の受信信号を選局し、選局したチャンネルの受信信号を復調器１６に出力する。
制御部１１は、チューナ１５にチャンネル切り替えの信号を出力する。制御部１１は、チューナ１５に受信可能な全チャンネル又は予め設定した特定のチャンネルを、所定の時間間隔又は指定した時間間隔で順次切り替えさせる。
【００３１】
復調器１６は、チューナ１５が選局したチャンネルの受信信号を受け付ける。復調器１６は、受け付けた受信信号に対して復調、誤り訂正等の処理を実行し、ＭＰＥＧ（Moving Picture Experts Group）規格のＴＳを生成する。復調器１６は、生成した各チャンネルのＴＳをデマルチプレクサ１７に出力する。
【００３２】
デマルチプレクサ１７は、各チャンネルのＴＳを受け付ける。デマルチプレクサ１７は、受け付けたＴＳに複数番組のデータが重畳されている場合、番組毎にＴＳを分離する。  デマルチプレクサ１７は、番組単位のＴＳを圧縮された映像データ、音声データ及び番組情報データ等のＴＳパケットに分離する。
デマルチプレクサ１７は、通常の視聴時には、番組単位の映像データ及び音声データのＴＳパケットをＡＶデコーダ１８に出力する。デマルチプレクサ１７は、サムネイル表示する場合、番組単位の映像データ及び音声データのＴＳパケットを番組情報付加部２０に出力する。
デマルチプレクサ１７は、番組単位の番組情報データのＴＳパケットを番組情報デコーダ１９に出力する。
【００３３】
番組情報デコーダ１９は、デマルチプレクサ１７が出力した番組情報データのＴＳパケットを受け付ける。番組情報デコーダ１９は、受け付けた番組情報データのＴＳパケットをデコードし、制御部１１に出力する。番組情報デコーダ１９は、サムネイル表示する場合、デコードした番組情報を番組情報付加部２０にも出力する。
【００３４】
番組情報付加部２０は、デマルチプレクサ１７から番組単位の映像データ及び音声データのＴＳパケットを受け付ける。番組情報付加部２０は、番組情報デコーダ１９からデコードされた番組情報を受け付ける。番組情報付加部２０は、映像データ及び音声データのＴＳパケットのヘッダに含まれるトランスポートプライベートデータに、番組情報付加部２０から受け付けた番組情報（例えば、チャンネル、番組名、番組ジャンル等）を記録する。トランスポートプライベートデータは、ユーザ独自のデータをＴＳパケットに挿入するため、ＴＳパケットのヘッダに用意されたパラメータである。
番組情報付加部２０は、番組情報が記録された番組単位の映像データ及び音声データのＴＳパケットをＴＳ記録部２１に出力する。
【００３５】
ＴＳ記録部２１は、番組情報が記録された番組単位の映像データ及び音声データのＴＳパケットを番組情報付加部２０から受け付け、記録する。ここで、ＴＳ記録部２１は、新しいＴＳパケットを受け付けた場合、番組毎に古いＴＳパケットを新しいＴＳパケットで置き換える。そのため、ＴＳ記録部２１には、常に最新のＴＳパケットが記録されている。
【００３６】
制御部１１は、ＴＳ記録部２１が記録している番組毎のＴＳパケットの中から、ＴＳパケットヘッダに記録された番組情報、及びユーザの嗜好等に基づいて、ＡＶデコーダ１８に出力する番組毎のＴＳパケットを選択する。制御部１１は、選択したＴＳパケットをＴＳ記録部２１からＡＶデコーダ１８に出力させる。
【００３７】
ＡＶデコーダ１８は、通常の視聴時には、デマルチプレクサ１７から映像データ及び音声データのＴＳパケットを受け付ける。ＡＶデコーダ１８は、サムネイル表示する場合、ＴＳ記録部２１から映像データ及び音声データのＴＳパケットを受け付ける。
ＡＶデコーダ１８は、受け付けた映像データのＴＳパケットをデコードし、逆ＤＣＴ変換、動き補償制御等を行い、映像処理部２２に出力する。ＡＶデコーダ１８は、受け付けた音声データのＴＳパケットをデコードし、音声処理部２３に出力する。
【００３８】
映像処理部２２は、ＡＶデコーダ１８が出力した映像データに対して、画質調整処理、ＯＳＤ（On-Screen Display）処理等の各種の映像処理を行う。映像処理部２２は、処理した映像データから各番組の映像を縮小等して、サムネイル用の映像信号を生成する。映像処理部２２は、生成した映像信号を表示部２４に出力する。
音声処理部２３は、ＡＶデコーダが出力した音声データに対して、Ｄ／Ａ変換、増幅等の各種処理を行う。音声処理部２３は、処理した音声データから音声信号を生成してスピーカ２５に出力する。
【００３９】
表示部２４は、映像処理部２２が出力した映像信号に基づく映像を表示する。表示部２４は、例えばバックライト及び液晶パネルを含む液晶表示装置であるが、有機ＥＬ（Electro Luminescence）ディスプレイ、プラズマディスプレイ等であってもよい。
スピーカ２５は、音声処理部２３が出力した音声信号に基づく音声を再生する。
【００４０】
次に、サムネイル表示する場合のテレビジョン受像機１の動作について説明する。
まず、サムネイル表示の準備として、ユーザは、番組のお好みジャンルとお好みのチャンネルとについて、夫々の嗜好度をお好みジャンルテーブル１２ａ及びお好みチャンネルテーブル１２ｂに登録する。リモートコントローラ１ａの所定ボタンを押下した場合、制御部１１は受光部１４を介して操作信号を受信し、テレビジョン受像機１の表示部２４に番組のお好みジャンル及びお好みのチャンネルの嗜好度を登録する登録画面（図示せず）を表示する。ユーザは、リモートコントローラ１ａを介して、当該登録画面に各嗜好度を例えば５段階評価で入力し、所定のボタンを押下する。制御部１１は、入力された各嗜好度をお好みジャンルテーブル１２ａ及びお好みチャンネルテーブル１２ｂに記録する。
【００４１】
テレビジョン受像機１は、ユーザの視聴履歴に基づいて、お好みジャンルテーブル１２ａ及びお好みチャンネルテーブル１２ｂに視聴時間を記録する機能を有する。
デマルチプレクサ１７が分離する番組情報データのＴＳパケットには、番組特定情報であるＰＳＩ（Program Specific Information）及び番組配列情報であるＳＩ（Service Information）が含まれる。ＰＳＩ／ＳＩは、番組名称、番組内容等を記録したＥＩＴ（Event Information Table）及びチャンネルの名称、放送事業者の名称等を記録したＳＤＴ（Service Description Table）を含む。そこで、制御部１１は、ユーザがサムネイル表示を指定しておらず、通常の番組視聴をしている場合、デマルチプレクサ１７が分離し、番組情報デコーダ１９がデコードした番組情報データから番組名称、番組内容、チャンネル及び放送事業者等を一定時間毎に読み出す。制御部１１は、読み出した情報とタイマ１３からの計時とに基づいて、所定時間毎にお好みジャンルテーブル１２ａ及びお好みチャンネルテーブル１２ｂの各視聴時間を更新する。
【００４２】
ＰＳＩ／ＳＩは、例えば現在から２週間後までに放送される番組名称、チャンネル、放送開始時刻、放送終了時刻、及び番組ジャンル等の番組情報を含む。そこで、制御部１１は、テレビジョン受像機１に電源が供給されている場合、デマルチプレクサ１７が分離し、番組情報デコーダ１９がデコードした番組情報を一定時間毎に読み出す。制御部１１は、読み出した将来の番組情報に基づいて、電子番組表１２ｃを作成し、メモリ１２に記録する。制御部１１は、一定時間毎に電子番組表１２ｃを更新し、メモリ１２に記録する。
【００４３】
制御部１１は、電子番組表１２ｃを読み出し、現在放送中の番組を抽出する。制御部１１は、お好みジャンルテーブル１２ａを読み出す。制御部１１は、お好みジャンルテーブル１２ａの嗜好度に基づいて、抽出した現在放送中の番組に重み付けをする。例えば、映画番組とスポーツ番組とが放送中であり、映画とスポーツとの嗜好度が３：４である場合、映画番組とスポーツ番組との重みを３：４に設定する。
【００４４】
制御部１１は、現在放送中の番組の中に、お好みジャンルテーブル１２ａの嗜好度が同一のジャンルの番組が含まれる場合、お好みチャンネルテーブル１２ｂを読み出す。制御部１１は、上記で設定した番組の重み付けに、お好みチャンネルテーブル１２ｂの嗜好度を反映させる。
例えば、チャンネルＡにおいて映画番組が放送中であり、チャンネルＢにおいてスポーツ番組が放送中である場合、お好みジャンルテーブル１２ａの映画とスポーツとの嗜好度が３：３であったとする。また、仮にお好みチャンネルテーブル１２ｂの嗜好度が、チャンネルＡ：チャンネルＢ＝１：２であったとする。かかる場合、例えば制御部１１は、チャンネルＡの映画番組とチャンネルＢのスポーツ番組との重みを、お好みチャンネルテーブル１２ｂの嗜好度を比例配分して、（３＋３）×１／（１＋２）：（３＋３）×２／（１＋２）＝２：４とする。
【００４５】
制御部１１は、お好みジャンルテーブル１２ａの嗜好度が未登録である場合、お好みジャンルテーブル１２ａの視聴時間に基づいて、現在放送中の番組に重み付けをする。また、制御部１１は、お好みチャンネルテーブル１２ｂの嗜好度が未登録である場合、お好みチャンネルテーブル１２ｂの視聴時間に基づいて、現在放送中の番組に重み付けをする。
例えば、お好みジャンルテーブル１２ａの視聴時間に基づいて、視聴時間比率を所定倍したものを各番組ジャンルの嗜好度とする。同様に、お好みチャンネルテーブル１２ｂの視聴時間に基づいて、視聴時間比率を所定倍したものを各チャンネルの嗜好度とする。
【００４６】
制御部１１は、設定した番組の重み付けに基づいて、受信可能な全チャンネル又は特定のチャンネルの切り替え時間間隔を設定する。例えば、Ａチャンネルの番組：Ｂチャンネルの番組の重みを１：２に設定した場合、制御部１１はチューナ１５にＡチャンネルを１秒受信させた後、Ｂチャンネルに切り替える信号をチューナ１５に送信する。制御部１１は、チューナ１５にＢチャンネルを２秒受信させた後、Ｃチャンネルに切り替える信号をチューナ１５に送信する。
【００４７】
図５及び図６は、制御部１１が実行する処理の手順の一例を示すフローチャートである。
制御部１１は、電子番組表１２ｃを読み出し、現在放送中の番組を抽出する（ステップＳ１０１）。制御部１１は、お好みジャンルテーブル１２ａを読み出す（ステップＳ１０２）。制御部１１は、お好みジャンルテーブル１２ａに嗜好度が登録されているか否か判定する（ステップＳ１０３）。制御部１１は、お好みジャンルテーブル１２ａに嗜好度が登録されていると判定した場合（ステップＳ１０３：ＹＥＳ）、お好みジャンルテーブル１２ａの嗜好度に基づいて、抽出した現在放送中の番組に重み付けを設定する（ステップＳ１０４）。制御部１１は、お好みジャンルテーブル１２ａに嗜好度が登録されていないと判定した場合（ステップＳ１０３：ＮＯ）、お好みジャンルテーブル１２ａの視聴時間に基づいて、抽出した現在放送中の番組に重み付けを設定する（ステップＳ１０５）。
【００４８】
制御部１１は、ステップＳ１０４又はステップＳ１０５で設定した重み付けについて、重み付けが同一の番組があるか否か判定する（ステップＳ１０６）。制御部１１は、ステップＳ１０４又はステップＳ１０５で設定した重み付けについて、重み付けが同一の番組がないと判定した場合（ステップＳ１０６：ＮＯ）、ステップＳ１０４又はステップＳ１０５で設定した重み付けを最終的な重み付けに確定し（ステップＳ１０７）、ステップＳ１１３に処理を進める。
【００４９】
制御部１１は、ステップＳ１０４又はステップＳ１０５で設定した重み付けについて、重み付けが同一の番組があると判定した場合（ステップＳ１０６：ＹＥＳ）、お好みチャンネルテーブル１２ｂを読み出す（ステップＳ１０８）。制御部１１は、お好みチャンネルテーブル１２ｂに嗜好度が登録されているか否か判定する（ステップＳ１０９）。制御部１１は、お好みチャンネルテーブル１２ｂに嗜好度が登録されていると判定した場合（ステップＳ１０９：ＹＥＳ）、ステップＳ１０４又はステップＳ１０５で設定した重み付けに、お好みチャンネルテーブル１２ｂの嗜好度を反映させる（ステップＳ１１０）。制御部１１は、お好みチャンネルテーブル１２ｂに嗜好度が登録されていないと判定した場合（ステップＳ１０９：ＮＯ）、ステップＳ１０４又はステップＳ１０５で設定した重み付けに、お好みチャンネルテーブル１２ｂの視聴時間を反映させる（ステップＳ１１１）。制御部１１は、ステップＳ１１０又はステップＳ１１１で夫々嗜好度又は視聴時間が反映された重み付けを最終的な重み付けに確定する（ステップＳ１１２）。
【００５０】
制御部１１は、ステップＳ１０７又はステップＳ１１２で確定した重み付けに基づいて、チャンネルの切り替え時間間隔を設定する（ステップＳ１１３）。制御部１１は、設定したチャンネル切り替え時間間隔に基づいて、チューナ１５にチャンネルを切り替える信号を送信し（ステップＳ１１４）、処理を終える。
【００５１】
ユーザの番組ジャンルの嗜好度、チャンネルの嗜好度及び視聴履歴から、ユーザの番組に対する嗜好傾向を求める方法は、上記に限らない。ユーザの嗜好傾向は、番組ジャンルの嗜好度のみ又はチャンネルの嗜好度のみから、求めてもよい。あるいは、ユーザの番組に対する嗜好傾向を求める上で、視聴履歴を考慮してもよいし、しなくてもよい。上記は、あくまでユーザの番組に対する嗜好傾向を求める一例である。
【００５２】
チューナ１５は、受信したチャンネルの受信信号を復調器１６に出力する。
復調器１６は、チューナ１５が受信したチャンネルの受信信号から、各チャンネルのＴＳを生成する。復調器１６は、生成した各チャンネルのＴＳをデマルチプレクサ１７に出力する。
【００５３】
デマルチプレクサ１７は、各チャンネルのＴＳから、番組単位の映像データ、音声データ及び番組情報データのＴＳパケットに分離する。
ユーザはテレビジョン受像機１にサムネイル表示をさせる場合、リモートコントローラ１ａを操作して、所定の信号を受光部１４へ送信する。受光部１４はリモートコントローラ１ａから受信した信号を制御部１１に送信する。制御部１１は、受光部１４からの信号に基づいて、デマルチプレクサ１７を制御する。すなわち、通常の視聴時には、デマルチプレクサ１７は、番組単位の映像データ及び音声データのＴＳパケットをＡＶデコーダ１８に出力する。しかし、デマルチプレクサ１７は、サムネイル表示する旨の信号を制御部１１から受信した場合、番組単位の映像データ及び音声データのＴＳパケットを番組情報付加部２０に出力する。
【００５４】
番組情報デコーダ１９は、番組情報データのＴＳパケットをデコードし、制御部１１に出力する。番組情報デコーダ１９は、サムネイル表示する旨の信号を制御部１１から受信した場合、デコードした番組情報を番組情報付加部２０にも出力する。
【００５５】
番組情報付加部２０は、デマルチプレクサ１７から受け付けた映像データ及び音声データのＴＳパケットを受け付ける。番組情報付加部２０は、ＴＳパケットのヘッダに含まれるトランスポートプライベートデータに、番組情報デコーダ１９から受け付けた番組情報を記録する。番組情報付加部２０は、番組情報が記録された番組単位の映像データ及び音声データのＴＳパケットをＴＳ記録部２１に出力する。
【００５６】
ＴＳ記録部２１は、番組情報が記録された番組単位の映像データ及び音声データのＴＳパケットを番組情報付加部２０から受け付け、記録する。ＴＳ記録部２１は、番組毎に一方の端から挿入を行い、もう一方の端から削除を行うキューのデータ構造を持つ。ＴＳ記録部２１は、制御部１１の制御の下、番組毎に最も新しいＴＳパケットを記録し、最も古いＴＳパケットをＡＶデコーダ１８に出力し、削除する。
制御部１１は、ユーザの嗜好に基づいてチューナ１５にチャンネルを切り替えさせているため、ＴＳ記録部２１にはユーザの嗜好性の高い番組ほどより多くのＴＳパケットが記録される。
【００５７】
制御部１１は、ＴＳ記録部２１に記録されているＴＳパケットのトランスポートプライベートデータから番組情報を読み出す。制御部１１は、読み出した番組情報（例えば、チャンネル、番組名、番組ジャンル等）に基づいてＴＳパケットを番組毎に識別する。
一方、制御部１１は、お好みジャンルテーブル１２ａ及びお好みチャンネルテーブル１２ｂを読み出す。制御部１１は、読み出したお好みジャンルテーブル１２ａ及びお好みチャンネルテーブル１２ｂの嗜好度、並びにお好みジャンルテーブル１２ａ及びお好みチャンネルテーブル１２ｂの視聴時間に基づいて、上記で識別した番組に重み付けを設定する。番組に重み付けを設定する方法は、図５及び図６に示した方法と同じであってもよいし、異なっていてもよい。
【００５８】
制御部１１は、識別した番組のＴＳパケットを設定した重み付けに比例した頻度で古いものから選択し、番組毎に順次ＡＶデコーダ１８に出力する。
【００５９】
ＡＶデコーダ１８は、ＴＳ記録部２１から映像データ及び音声データのＴＳパケットを受け付ける。ＡＶデコーダ１８は、受け付けた映像データのＴＳパケットをデコードし、映像処理部２２に出力する。ＡＶデコーダ１８は、受け付けた音声データのＴＳパケットをデコードし、音声処理部２３に出力する。
【００６０】
映像処理部２２は、ＡＶデコーダ１８が出力した映像データに対して、各種の映像処理を行い、サムネイル用の映像信号を生成して表示部２４に出力する。
音声処理部２３は、ＡＶデコーダが出力した音声データに対して、各種処理を行い、音声信号を生成してスピーカ２５に出力する。
【００６１】
表示部２４は、各番組の映像を一覧表示する。
スピーカ２５は、音声処理部２３が出力した音声信号に基づく音声を再生する。
【００６２】
１つのチューナ及び１つのＡＶデコーダを備えたテレビジョン受像機において、サムネイル表示を行う場合、チャンネルを一定時間間隔で切り替えることにより、数秒間の動画像が各サムネイル画面に繰り返し表示される。
しかし、ユーザが番組ジャンル又はチャンネルに嗜好性を有する場合、興味のない番組のサムネイル画面の映像を動かすために、興味のある番組のサムネイル画面が静止した状態になることは、操作性のよいテレビジョン受像機とはいえない。例えば、９分割された画面に９番組の映像を表示する場合、数秒間隔で動画番組が遷移していく。そのため、ユーザが１つの番組にのみ興味があっても、ユーザは動画状態が興味のある番組に巡回してくるまで、かなりの時間待たされることになる。
【００６３】
テレビジョン受像機１によれば、電子番組表の番組情報及びユーザの嗜好に基づいて、サムネイル表示する番組のチャンネルを切り替える。ユーザの嗜好が高いジャンルの番組とユーザの嗜好が低い番組との間で、受信時間に長短を設けることにより、ユーザの嗜好が高い番組ほど動画として表示される時間が長くなる。そのため、テレビジョン受像機１はよりユーザの好みに近いサムネイル表示を実現することができる。
【００６４】
テレビジョン受像機１によれば、放送中の番組情報及びユーザの嗜好に基づいて、デコード処理される番組のＴＳパケットが選択される。ユーザの嗜好が高いジャンルの番組とユーザの嗜好が低い番組との間で、番組のＴＳパケットの選択頻度に差を付けることにより、チャンネル切替時間が全チャンネルについて同じであったとしても、ユーザの嗜好が高い番組ほど動画として表示される時間が長くなる。一方、ユーザの嗜好が低い番組は、動画として表示される時間が短くなり、最後に表示した映像が静止画として保持される。
【００６５】
テレビジョン受像機１によれば、番組情報及びユーザの嗜好を反映したチャンネル切り替えと、ＴＳパケットの選択とを組み合わせることにより、ユーザの好みに近いサムネイル表示をより細かく制御することができる。
【００６６】
テレビジョン受像機１によれば、ユーザの視聴履歴をチャンネル切り替え及びＴＳパケットの選択に反映させることができる。例えば、ユーザが嗜好度を登録していない場合であっても、テレビジョン受像機１はお好みジャンル又はお好みチャンネルの視聴時間に基づいて、チャンネル切り替え及びＴＳパケットの選択を行う番組に重み付けをすることができる。
【００６７】
制御部１１は、ＴＳ記録部２１に記録されたＴＳパケットを選択するに際し、お好みジャンルテーブル１２ａ及びお好みチャンネルテーブル１２ｂを参照しなくてもよい。
チューナ１５はお好みジャンルテーブル１２ａ及びお好みチャンネルテーブル１２ｂに基づいてチャンネルを切り替えているため、ＴＳ記録部２１にはユーザの嗜好性の高い番組ほどより多くのＴＳパケットが記録されている。制御部１１は、ＴＳ記録部２１に記録されている番組毎のＴＳパケットの量に比例した頻度で、各番組のＴＳパケットを選択してもよい。これにより、制御部１１は、番組情報及びユーザの嗜好情報に基づいて、デコードするＴＳパケットを選択したことになる。
【００６８】
チャンネルの切り替え及びＴＳ記録部２１に記録されたＴＳパケットの選択は、お好みジャンルテーブル１２ａ及びお好みチャンネルテーブル１２ｂに基づかなくてもよい。
複数番組がサムネイル表示されている状態で、リモートコントローラ１ａにより１つ又は複数の番組が選択された場合、制御部１１は選択された番組の動画表示の時間をより長くなるようにリアルタイムで制御してもよい。例えば、制御部１１は、選択された番組について、チューナ１５にチャンネルの切替時間を長くするように指示し、ＴＳパケットの選択頻度を高く設定する。これにより、番組に対する嗜好性がないユーザに対しても、その時々のユーザ気分に合わせたサムネイル表示が可能となる。
【００６９】
各番組の映像が一覧表示されている場合、スピーカ２５から異なる番組の音声が順次出力されることを煩わしく感じることがある。そこで、ＡＶデコーダ１８は、音声データのデコードをしない形態であってもよい。これにより、消費電力を削減することができる。
【００７０】
テレビジョン受像機１は、チューナ１５を２つ以上備えていてもよい。これにより、各チューナ１５の処理量が減少し、よりスムーズなサムネイル表示が可能となる。
例えば、テレビジョン受像機１が２つのチューナ１５を備える場合、１つのチューナ１５はユーザの嗜好度が最も高い番組を受信する専用チューナに設定する。残りの１つのチューナ１５は、他の番組を同一時間ずつ受信する。かかる場合、制御部１１は、他の番組をほとんど静止画の状態にし、ユーザの嗜好度が最も高い番組をより長時間、動画表示されるようにしてもよい。あるいは、制御部１１は、ユーザの嗜好度が最も高い番組を経過時間の半分だけ動画にし、経過時間の残りの半分を他の番組の動画再生に割り振ってもよい。これは、お好みジャンルテーブル１２ａ及びお好みチャンネルテーブル１２ｂ並びに番組情報に基づいて、他の番組を重み付けし、デコードするＴＳパケットの選択頻度を設定することにより可能である。
【００７１】
テレビジョン受像機１は、例えばテレビジョン放送受信機、ワンセグ放送の受信可能な携帯電話機等である。しかし、テレビジョン受像機１は、画面を備えたＰＤＡ（Personal Digital Assistants）又はパーソナルコンピュータのモニター等と、外部接続可能な単体チューナ又は映像処理装置とから構成されるシステムであってもよい。
【００７２】
テレビジョン受像機１が受信するテレビジョン放送は、地上波放送及び衛星放送に限らず、ＩＰ（Internet Protocol）放送又はケーブルテレビジョン放送を含む。
【００７３】
実施の形態２
番組情報及びユーザの嗜好に基づいて、ＴＳパケットの間引きデコードを行う形態に関する。
実施の形態２に係るテレビジョン受像機の構成は、図１のテレビジョン受像機１の構成と同じである。
ＡＶデコーダ１８は、制御部１１の指示の下、映像データを間引いてデコードする。映像データの間引き方には、種々の方法がある。１つの方法は、デコードするフレームを間引くことである。例えば、０．５秒おきにデコードし、０．５秒間隔で動画及び静止画を交互に表示する。また、ＭＰＥＧで規定されたＰピクチャ及びＢピクチャをスキップして、Ｉピクチャのみをデコードする。更に、逆ＤＣＴ演算において、低域周波数成分のみを演算する。
あるいは、解像度を落としたデコードでもよい。全ての画素をデコードするのではなく、一部の画素のみをデコードする。例えば、１画面当りの画素数が１９２０×１０８０ドットである場合、９６０×５４０ドット、４８０×２７０ドット等に画素を間引いた状態でデコードする。サムネイル表示では各番組の映像は縮小表示されるので、画素を間引いてデコードしても視認される画質は低下しない。
【００７４】
次に、サムネイル表示する場合のテレビジョン受像機１の動作について説明する。
制御部１１は、ＴＳ記録部２１に記録されているＴＳパケットのトランスポートプライベートデータから番組情報を読み出す。制御部１１は、読み出した番組情報（例えば、チャンネル、番組名、番組ジャンル等）に基づいてＴＳパケットを番組毎に識別する。
一方、制御部１１は、お好みジャンルテーブル１２ａ及びお好みチャンネルテーブル１２ｂを読み出す。制御部１１は、読み出したお好みジャンルテーブル１２ａ及びお好みチャンネルテーブル１２ｂの嗜好度、並びにお好みジャンルテーブル１２ａ及びお好みチャンネルテーブル１２ｂの視聴時間に基づいて、上記で識別した番組に重み付けを設定する。
なお、番組情報及びユーザの嗜好に基づき、番組に重み付けを設定する方法は、図５及び図６に示した方法と同じであってもよいし、異なっていてもよい。
【００７５】
制御部１１は、ＴＳ記録部２１に記録されたＴＳパケットを、番組の重み付けに基づいて選択する。制御部１１は、選択したＴＳパケットをＡＶデコーダ１８に出力する。その際、制御部１１は、ＴＳパケットに含まれる番組の重み付け情報に応じた間引きレベルをＡＶデコーダ１８に指定する。
【００７６】
例えば、Ａ番組及びＢ番組の重み付けが３：２であった場合、制御部１１は、Ａ番組のＴＳパケットについてはＩピクチャのみをデコードし、Ｂ番組のＴＳパケットについてはＩピクチャのみのデコード及び画素を間引いたデコードをするようにＡＶデコーダ１８に指定する。Ｃ番組の重み付けがＢ番組より小さい場合、制御部１１は、Ｃ番組のＴＳパケットについて、Ｉピクチャのみのデコード、画素を間引いたデコード及び低域周波数成分のみのデコードをするようにＡＶデコーダ１８に指定する。
【００７７】
ＡＶデコーダ１８は、ＴＳ記録部２１から映像データ及び音声データのＴＳパケットを受け付け、受け付けたＴＳパケットに対して、制御部１１からの指定に基づいて間引きデコードを行う。ＡＶデコーダ１８は、間引きデコードした映像データを映像処理部２２に出力する。
ＡＶデコーダ１８は、デコードした音声データを音声処理部２３に出力する。なお、ＡＶデコーダ１８は、音声データのＴＳパケットをデコードしなくてもよい。かかる場合、テレビジョン受像機１は、音声を出力しない。
【００７８】
テレビジョン受像機１によれば、番組情報及びユーザの嗜好に基づいたＴＳパケットの間引きデコードが可能である。
テレビジョン受像機１は、ユーザの嗜好が低い番組については、ＴＳパケットの間引きデコードを行うことにより、通常の動画より動きがなめらかでなく、解像度は落ちるが、動きのある映像をユーザに提供することができる。
【００７９】
ユーザにとって、嗜好が低い番組の動きがなめらかでなくなったとしても、ユーザはさほど気にならない。一方、デコードするデータ量が減少することにより、消費電力の削減を図ることができる。例えば、テレビジョン受像機１が電池により駆動され、ワンセグ放送等を受信する機器である場合、電池切れまでの時間を延ばすために、消費電力を少しでも低減することが好ましい。
【００８０】
Ｉピクチャのみをデコードし、Ｐピクチャ及びＢピクチャを間引く場合、動きベクトルによる動き補償予測の処理を削除してもよい。これにより、さらに消費電力の低減を図ることができる。
【００８１】
実施の形態２は以上の如きであり、その他は実施の形態１と同様であるので、対応する部分には同一の参照番号を付してその詳細な説明を省略する。
【符号の説明】
【００８２】
１    テレビジョン受像機
１１  制御部
１４  受光部
１５  チューナ
１９  番組情報デコーダ
２４  表示部
【図１】
2012023549.tif 000003
【図２】
2012023549.tif 000004
【図３】
2012023549.tif 000005
【図４】
2012023549.tif 000006
【図５】
2012023549.tif 000007
【図６】
2012023549.tif 000008